【事件の表示】
　特願２０１４−２０６６３９「遊技機」拒絶査定不服審判事件〔平成２８年　５月１２日出願公開、特開２０１６−　７３４９４〕について、次のとおり審決する。
【結　論】
　本件審判の請求は、成り立たない。
【理　由】
第１　手続の経緯  
　本願は、平成２６年１０月７日の出願であって、平成２７年１０月１５日付けで拒絶の理由が通知され、平成２７年１２月１８日に意見書及び手続補正書が提出され、さらに、平成２８年６月２０日付けで拒絶の理由が通知され、平成２８年８月１８日付けで意見書及び手続補正書が提出されたところ、平成２９年１月３０日付けで補正の却下の決定とともに拒絶査定がなされ、それに対して、平成２９年４月２７日に拒絶査定不服審判の請求がなされると同時に手続補正がなされたものである。
　
第２　平成２９年４月２７日付けの手続補正についての補正却下の決定  
［補正却下の決定の結論］  
　平成２９年４月２７日付けの手続補正（以下「本件補正」という。）を却下する。
［理由］  
１　補正の内容
　本件補正は、特許請求の範囲を補正する内容を含んでおり、本件補正により、特許請求の範囲の請求項２は、
「【請求項２】
　遊技者によって操作が可能な操作手段である、第１操作手段、及び、該第１操作手段とは異なる第２操作手段と、
　前記第１操作手段又は前記第２操作手段に対する操作を有効とする操作有効状態中に該第１操作手段又は該第２操作手段が操作されることに基づいて所定の演出を実行する演出制御手段と
　を備える遊技機であって、
　前記演出制御手段は、
　前記操作有効状態中に、遊技者に前記操作手段への操作を促す操作促進報知を実行する第１操作有効処理と、
　前記操作有効状態中に、前記操作促進報知を実行しない第２操作有効処理と、を実行可能であり、
　前記第１操作有効処理では、
　前記第１操作手段への前記操作促進報知を実行するときと、前記第２操作手段への前記操作促進報知を実行するときとがあり、
　前記第１操作手段への前記操作促進報知を実行したときは、前記第１操作手段に対する操作を有効とする一方、前記第２操作手段への前記操作促進報知を実行したときは、前記第２操作手段に対する操作を有効とし、
　前記第２操作有効処理では、
　前記第１操作手段に対する操作を有効とする場合がある、
　ことを特徴とする遊技機。」
から、
「【請求項２】
　遊技者によって操作が可能な操作手段である、第１操作手段、及び、該第１操作手段とは異なる第２操作手段と、
　前記第１操作手段又は前記第２操作手段に対する操作を有効とする操作有効状態中に該第１操作手段又は該第２操作手段が操作されることに基づいて所定の演出を実行する演出制御手段と
、
　を備える遊技機であって、
　前記演出制御手段は、
　前記操作有効状態中に、遊技者に前記操作手段への操作を促す操作促進報知を実行する第１操作有効処理と、
　前記操作有効状態中に、前記操作促進報知を実行しない第２操作有効処理と、を実行可能であり、
　前記第１操作有効処理では、
　前記第１操作手段への前記操作促進報知を実行するときと、前記第２操作手段への前記操作促進報知を実行するときとがあり、
　前記第１操作手段への前記操作促進報知を実行したときは、前記第１操作手段に対する操作を有効とする一方、前記第２操作手段への前記操作促進報知を実行したときは、前記第２操作手段に対する操作を有効とし、
　前記第２操作有効処理では、
　前記第１操作手段に対する操作を有効とする場合があ
り、
　
前記第１操作手段が操作された場合は、前記所定の演出として大当たりとなる可能性を示唆する示唆演出を実行し、
　該第１操作手段が操作されない場合は前記示唆演出を実行しない、
　ことを特徴とする遊技機。」 
に補正された（下線は、補正箇所を明示するために審決にて付した。）。
　
２　補正の適否について
　上記補正は、補正前の請求項１に記載した発明を特定するために必要な事項である「第２操作有効処理」に関して、「前記第１操作手段に対する操作を有効とする場合があ
り、前記第１操作手段が操作された場合は、前記所定の演出として大当たりとなる可能性を示唆する示唆演出を実行し、該第１操作手段が操作されない場合は前記示唆演出を実行しない、
　そして、本件補正は、新規事項を追加するものではない。
３　独立特許要件について
　そこで、本件補正後の請求項２に記載された発明（以下「本願補正発明」という。）が特許出願の際独立して特許を受けることができるものであるか（特許法第１７条の２第６項において準用する同法第１２６条第７項の規定に適合するか）について、以下に検討する。
　
（１）刊行物１
　原査定の拒絶の理由に引用文献３として引用された特開２０１２−８１１６９号公報（以下「刊行物１」という。）には、図面とともに以下の事項が記載されている。
（１−ａ）「【発明が解決しようとする課題】
【０００５】
　このように、複数の演出ボタンを搭載した従来の遊技機では、遊技者が操作すべき演出ボタンがどれであるかが液晶画面への表示等によって報知され、遊技者がその報知内容に従って演出ボタンを操作した場合にのみ演出が実行されるように構成されているため、慣れない遊技者でもとまどうことなくボタン演出を楽しむことができる反面、遊技が単調となり、遊技に慣れた遊技者に対しては物足りない印象を与えることが懸念される。
【０００６】
　本発明は上記事情に鑑みてなされたものであり、操作の分かりやすさはそのままに、演出内容をより多彩にすることで遊技に慣れた遊技者もいわゆるボタン演出を十分に楽しむことが可能な遊技機を提供することを目的とする。」
（１−ｂ）「【００１７】
　以下、本発明の実施形態を図面に基づいて詳述する。図１〜図８は本発明を
パチンコ機
【００１８】
　前面板６の前側には、図１及び図２に示すように、払い出し手段（図示省略）から払い出された遊技球を貯留して発射手段（図示省略）に供給する上皿８が上部側に配置され、またその上皿８の下側には、例えば上皿８が満杯のときにその余剰球を貯留する下皿９が左端側に、発射手段を作動させるための発射ハンドル１０が右端側に夫々設けられている。更に、上皿８等を前側から覆う上皿カバー１１上には、例えば
左右方向の略中央に第１演出ボタン
１２
左側に第２演出ボタン
１３
配置されている
【００１９】
　
第１演出ボタン１２
対応する操作有効期間内に操作されることを条件に、
回転灯作動演出処理、その他の所定演出処理が実行される
【００２０】
　回転灯１６は、１又は複数のＬＥＤ１７と、このＬＥＤ１７から発せられた光を回転軸に対する半径方向外向きに反射する回転反射板１８とを備え、その外側が例えば着色透明の操作ボタン部１５で覆われており、作動時にはＬＥＤ１７が点灯されると共に回転反射板１８が回転駆動されるようになっている。
【００２１】
　また、例えばＬＥＤ１７は操作有効報知手段を兼ねており、操作有効期間中にＬＥＤ１７が点灯又は点滅することによりこの第１演出ボタン１２の操作が有効である旨を報知するようになっている。なお、このＬＥＤ１７が操作有効報知手段として作動する場合には例えば回転反射板１８は回転せず、回転灯１６が作動する回転灯作動演出処理と区別される。
【００２２】
　
第２演出ボタン１３は、
対応する操作有効期間内に操作されることを条件に、
信頼度表示演出処理、その他の所定演出処理が実行される
（１−ｃ）「【００５６】
　予告演出制御手段８５は、特別図柄表示手段４２及び演出図柄表示手段４５による図柄変動中に行われる予告演出を制御するもので、
ボタン操作演出制御手段
９１
【００５７】
　予告演出制御手段８５による予告演出制御処理（図４）では、まず変動パターンコマンドを受信したか否かが判定される（Ｓ１）。変動パターンコマンドを受信していなければ（Ｓ１：Ｎｏ）、ここで予告演出制御処理は終了するが、変動パターンコマンドを受信した場合には（Ｓ１：Ｙｅｓ）、予告演出を行うか否か、及び予告演出を行う場合にはその種類を選択する予告演出抽選処理（Ｓ２）が実行される。
【００５８】
　なお、本実施形態では、第１，第２演出ボタン１２，１３の操作に基づいて所定演出処理を実行させる通常ボタン操作演出及び特定ボタン操作演出（特定操作演出）と、演出画像表示手段２３に大当たりとなる信頼度に応じて発展する予告演出画像を表示するステップアップ演出と、大当たりとなる信頼度に応じて可動体４４を動作させる可動体演出の四種類の予告演出が設けられているものとする。」
（１−ｄ）「【００６７】
　この
信頼度表示演出処理
大当たり信頼度を示す数字
が視認可能となる
（１−ｅ）「【００７０】
　また、
ボタン操作演出制御手段９１による特定ボタン操作演出
（１−ｆ）「【００８９】
　図１２は本発明の第４の実施形態を例示し、特定ボタン操作演出（特定操作演出）では、一部の
第１操作有効期間については、
操作有効報知手段
第２演出ボタン
１３のみを特定して操作有効報知を行うにも拘わらず第２演出ボタン１３だけでなく第１演出ボタン
１２も有効となり、
第２操作有効期間については、
操作有効報知手段
による操作有効報知が行われないにも拘わらず第２演出ボタン
１３のみが有効となるように構成し
【００９０】
　図１２は、第１の実施形態に係る特定ボタン操作演出制御処理（図６）を変更したもので、共通の処理については同じステップ番号を付与している。なお、本実施形態の特定ボタン操作演出では、
第２演出ボタン１３を特定した操作有効報知
第１演出ボタン１２を特定した操作有効報知が行われる場合があってもよい。
【００９１】
　本実施形態の特定ボタン操作演出制御処理（図１２）では、まず操作有効報知を行わない隠しボタン演出とするか否かが例えば抽選により選択される（Ｓ４１ｂ）。そして、演出図柄の変動開始と同時又はその後の所定のタイミングで操作有効期間が開始されると  （Ｓ４２：Ｙｅｓ）、Ｓ４１ｂの抽選結果に応じて（Ｓ４２ａ）、隠しボタン演出としない場合にはＳ５１〜Ｓ５８の処理が、隠しボタン演出とする場合にはＳ７１〜Ｓ７５の処理が、夫々実行される。
【００９２】
　即ち、隠しボタン演出としない場合（第１操作有効期間）には（Ｓ４２ａ：Ｎｏ）、第２演出ボタン１３を特定した操作有効報知（Ｓ４５）が行われた後、操作有効期間の開始から例えば所定時間が経過するまで第１演出ボタン１２と第２演出ボタン１３の両方の操作状態が監視され（Ｓ５１〜Ｓ５３）、所定時間が経過するまでの間に第１演出ボタン１２が操作された場合には回転灯作動演出処理が（Ｓ５１：Ｙｅｓ→Ｓ５７→Ｓ５８）、第２演出ボタン１３が操作された場合には信頼度表示演出処理が（Ｓ５２：Ｙｅｓ→Ｓ５５→Ｓ５６）、夫々実行される。
【００９３】
　一方、隠しボタン演出とする場合（
第２操作有効期間
には
操作有効期間が開始されても操作有効報知は行われず、
第２演出ボタン１３が操作された場合には信頼度表示演出処理が実行され
操作有効期間の開始から所定時間が経過した時点で操作有効期間の終了処理が行われ
演出処理が実行されることなく特定ボタン操作演出制御処理は終了する
【００９４】
　以上のように、本実施形態の特定ボタン操作演出（特定操作演出）では、操作有効表示手段４７等（操作有効報知手段）が第２演出ボタン（第２操作手段）１３を特定した操作有効報知を行う第１操作有効期間については、第２演出ボタン１３だけでなく第１演出ボタン（第１操作手段）１２も有効となり、操作有効表示手段４７等（操作有効報知手段）による操作有効報知が行われない隠しボタン演出とされる第２操作有効期間については第２演出ボタン（第２操作手段）１３のみが有効となるように構成されている。」
　上記の事項を総合すると、刊行物１には、次の発明が記載されていると認められる（以下「刊行物１発明」という。）。
「左右方向の略中央に配置された第１演出ボタン１２、及び左側に配置された第２演出ボタン１３と（段落【００１８】）、
　第１演出ボタン１２が対応する操作有効期間内に操作されることを条件に回転等作動演出処理、その他の所定演出処理を実行し、第２演出ボタン１３が対応する操作有効期間内に操作されることを条件に信頼度表示演出処理、その他の所定演出処理を実行するボタン操作演出制御手段９１と（段落【００１９】、【００２２】、【００５６】）、
　を備えるパチンコ機であって（段落【００１７】）、
　ボタン操作演出制御手段９１は、
　第１操作有効期間については、操作有効報知手段が第２演出ボタン１３のみを特定して操作有効報知を行うにも拘わらず第２演出ボタン１３だけでなく第１演出ボタン１２も有効となり、第２操作有効期間については、操作有効報知手段による操作有効報知が行われないにも拘わらず第２演出ボタン１３のみが有効となるように構成し（段落【００８９】、【００７０】）、
　上記第１操作有効期間においては、第２演出ボタン１３を特定した操作有効報知を行うが、第１演出ボタン１２を特定した操作有効報知が行われる場合もあり（段落【００８９】、【００９０】）、
　第２操作有効期間には、操作有効期間が開始されても操作有効報知は行われず、第２演出ボタン１３が操作された場合には大当たり信頼度を示す数字が視認可能となる信頼度表示演出処理が実行され、操作有効期間の開始から所定時間が経過した時点で操作有効期間の終了処理が行われ、演出処理が実行されることなく終了するパチンコ機（段落【００９３】、【００６７】、【００１７】）。」 
（２）対比・判断
　本願補正発明と刊行物１発明とを対比する。
ア　刊行物１発明の「第１演出ボタン１２」、「第２演出ボタン１３」は、それぞれ本願補正発明の「第２操作手段」、「第１操作手段」に相当する。
　また、刊行物１発明の「第１演出ボタン１２」、「第２演出ボタン１３」は、配置が異なるから異なる操作手段であることは明らかであり、遊技者によって操作が可能であることは自明な事項である。
　よって、刊行物１発明の「左右方向の略中央に配置された第１演出ボタン１２、及び左側に配置された第２演出ボタン１３」は、本願補正発明の「遊技者によって操作が可能な操作手段である、第１操作手段、及び、該第１操作手段とは異なる第２操作手段」に相当する。
イ　刊行物１発明の「第１演出ボタン１２が対応する操作有効期間内に操作されることを条件に回転等作動演出処理、その他の所定演出処理を実行」する点は、本願補正発明の「第２操作手段に対する操作を有効とする操作有効状態中に」「第２操作手段が操作されることに基づいて所定の演出を実行する」点に相当し、刊行物１発明の「第２演出ボタン１３が対応する操作有効期間内に操作されることを条件に信頼度表示演出処理、その他の所定演出処理を実行する」点は、本願補正発明の「第１操作手段」「に対する操作を有効とする操作有効状態中に該第１操作手段」「が操作されることに基づいて所定の演出を実行する」点に相当する。
　そして、刊行物１発明の「ボタン操作演出制御手段９１」は、本願補正発明の「演出制御手段」に相当する。
　よって、刊行物１発明の「第１演出ボタン１２が対応する操作有効期間内に操作されることを条件に回転等作動演出処理、その他の所定演出処理を実行し、第２演出ボタン１３が対応する操作有効期間内に操作されることを条件に信頼度表示演出処理、その他の所定演出処理を実行するボタン操作演出制御手段９１」は、本願補正発明の「前記第１操作手段又は前記第２操作手段に対する操作を有効とする操作有効状態中に該第１操作手段又は該第２操作手段が操作されることに基づいて所定の演出を実行する演出制御手段」に相当する。
　また、刊行物１発明の「パチンコ機」は、本願補正発明の「遊技機」に相当する。
ウ　刊行物１発明の「第１操作有効期間」に行う処理は、本願補正発明の「第１操作有効処理」に関連し、刊行物１発明の「第２操作有効期間」に行う処理は、本願補正発明の「第２操作有効処理」に関連するものである。
　刊行物１発明においては、「第１操作有効期間については、操作有効報知手段が第２演出ボタン１３のみを特定して操作有効報知を行うにも拘わらず第２演出ボタン１３だけでなく第１演出ボタン１２も有効」となるから、第１操作有効期間において、第２演出ボタン１３が有効中に第２演出ボタン１３の操作有効報知を実行するといえる。
　また、刊行物１発明においては、「第２操作有効期間については、操作有効報知手段による操作有効報知が行われないにも拘わらず第２演出ボタン１３のみが有効」となるから、第２操作有効期間において、第２演出ボタン１３が有効中に第２演出ボタンの操作有効報知を実行しないといえる。
　よって、刊行物１発明の上記記載は、本願補正発明の「操作有効状態中に、遊技者に操作手段への操作を促す操作促進報知を実行する第１操作有効処理と、操作有効状態中に、操作促進報知を実行しない第２操作有効処理と、を実行可能」である点を含むものである。
　一方、刊行物１発明においては、「上記第１操作有効期間においては、第２演出ボタン１３を特定した操作有効報知を行うが、第１演出ボタン１２を特定した操作有効報知が行われる場合もあ」るものである。
　そして、その場合には、第１演出ボタン１２のみを特定して操作有効報知を行うにも拘わらず第１演出ボタン１２だけでなく第２演出ボタン１３も有効となるから、第１操作有効期間において、第１演出ボタン１２が有効中に第１演出ボタン１２の操作有効報知を実行するといえる。
　そうすると、刊行物１発明における第１操作有効期間においては、第２演出ボタン１３の操作有効報知を実行するときと、第１演出ボタン１２の操作有効報知を実行するときとがあり、第２演出ボタン１３の操作有効報知を実行したときは、第２演出ボタン１３に対する操作を有効とし、第１演出ボタン１２の操作有効報知を実行したときは、第１演出ボタン１２に対する操作を有効とすることになる。
　よって、刊行物１発明の
「ボタン操作演出制御手段９１は、第１操作有効期間については、操作有効報知手段が第２演出ボタン１３のみを特定して操作有効報知を行うにも拘わらず第２演出ボタン１３だけでなく第１演出ボタン１２も有効となり、第２操作有効期間については、操作有効報知手段による操作有効報知が行われないにも拘わらず第２演出ボタン１３のみが有効となるように構成し、
　上記第１操作有効期間においては、第２演出ボタン１３を特定した操作有効報知を行うが、第１演出ボタン１２を特定した操作有効報知が行われる場合もあ」る点は、
　本願補正発明の
「演出制御手段は、操作有効状態中に、遊技者に操作手段への操作を促す操作促進報知を実行する第１操作有効処理と、操作有効状態中に、操作促進報知を実行しない第２操作有効処理と、を実行可能であり、
　第１操作有効処理では、
　第１操作手段への操作促進報知を実行するときと、第２操作手段への操作促進報知を実行するときとがあり、
　第１操作手段への操作促進報知を実行したときは、第１操作手段に対する操作を有効とする一方、第２操作手段への操作促進報知を実行したときは、第２操作手段に対する操作を有効とす」る点を含むものである。
エ　刊行物１発明において、第２操作有効期間において、「第２操作ボタン１３」を有効にすることは、上記ウで検討したとおりである。
　そして、刊行物１発明の「第２演出ボタン１３が操作された場合には大当たり信頼度を示す数字が視認可能となる信頼度表示演出処理が実行され」る点は、本願補正発明の「第１操作手段が操作された場合は、所定の演出として大当たりとなる可能性を示唆する示唆演出を実行」する点に相当し、刊行物１発明の「操作有効期間の開始から所定時間が経過した時点で操作有効期間の終了処理が行われ、演出処理が実行されることなく終了する」点における「操作有効期間の開始から所定時間が経過」することは、第２演出ボタン１３が操作されないことを意味するから、本願補正発明の「該第１操作手段が操作されない場合は示唆演出を実行しない」点に相当する。
　よって、刊行物１発明の「第２操作有効期間には、操作有効期間が開始されても操作有効報知は行われず、第２演出ボタン１３が操作された場合には大当たり信頼度を示す数字が視認可能となる信頼度表示演出処理が実行され、操作有効期間の開始から所定時間が経過した時点で操作有効期間の終了処理が行われ、演出処理が実行されることなく終了する」点は、本願補正発明の「第２操作有効処理では、第１操作手段に対する操作を有効とする場合があり、第１操作手段が操作された場合は、所定の演出として大当たりとなる可能性を示唆する示唆演出を実行し、該第１操作手段が操作されない場合は示唆演出を実行しない」点に相当する。
　また、上記イで検討したとおり、刊行物１発明の「パチンコ機」は、本願補正発明の「遊技機」に相当する。
オ　したがって、本願補正発明と刊行物１発明とは、
「遊技者によって操作が可能な操作手段である、第１操作手段、及び、該第１操作手段とは異なる第２操作手段と、
　前記第１操作手段又は前記第２操作手段に対する操作を有効とする操作有効状態中に該第１操作手段又は該第２操作手段が操作されることに基づいて所定の演出を実行する演出制御手段と、
　を備える遊技機であって、
　前記演出制御手段は、
　前記操作有効状態中に、遊技者に前記操作手段への操作を促す操作促進報知を実行する第１操作有効処理と、
　前記操作有効状態中に、前記操作促進報知を実行しない第２操作有効処理と、を実行可能であり、
　前記第１操作有効処理では、
　前記第１操作手段への前記操作促進報知を実行するときと、前記第２操作手段への前記操作促進報知を実行するときとがあり、
　前記第１操作手段への前記操作促進報知を実行したときは、前記第１操作手段に対する操作を有効とする一方、前記第２操作手段への前記操作促進報知を実行したときは、前記第２操作手段に対する操作を有効とし、
　前記第２操作有効処理では、
　前記第１操作手段に対する操作を有効とする場合があり、
　前記第１操作手段が操作された場合は、前記所定の演出として大当たりとなる可能性を示唆する示唆演出を実行し、
　該第１操作手段が操作されない場合は前記示唆演出を実行しない、
　ことを特徴とする遊技機。」
である点で一致し、相違点はない。
　よって、本願補正発明は、刊行物１に記載された発明である。また、仮に相違点があったとしても、当業者が容易になし得たものである。
カ　請求人の主張について
　請求人は、審判請求書において「（特徴３）操作促進報知を実行する第１操作有効処理では、第１操作手段への操作促進報知を実行するときと、第２操作手段への操作促進報知を実行するときとがあり、第１操作手段への操作促進報知を実行したときは、第１操作手段に対する操作を有効とする一方、第２操作手段への操作促進報知を実行したときは、第２操作手段に対する操作を有効とする、こと。 
・・・しかしながら、上記（特徴３）について、本引用文献３の段落［００８１］、［００８８］、［００９２］等には、 
　「第１演出ボタン１２のみが有効となる第１操作有効期間と、第１演出ボタン１２と共に第２演出ボタン１３も有効となる第２操作有効期間とがある」ことが、記載されておりますが、「第２演出ボタン１３のみが有効となる第１操作有効期間」に係る記載がなく、また示唆もないため、本引用文献３には上記（特徴３）に相当する発明は記載されておりません。」（第６頁第１６行〜第７頁第５行）と主張する。 
　確かに、刊行物１には、第１操作有効期間において第２操作ボタン１３のみが有効になる点については記載されていない。
　しかしながら、本願の請求項２には、そのようには特定されておらず、上記（特徴３）のとおり、「第１操作手段への操作促進報知を実行したときは、第１操作手段に対する操作を有効とする一方、第２操作手段への操作促進報知を実行したときは、第２操作手段に対する操作を有効とする」ものであり、一方の操作手段を有効とした場合に、他の操作手段が有効か無効かについて特定するものではない。
　したがって、上記ウで検討したとおり、刊行物１発明における「第１操作有効期間については、操作有効報知手段が第２演出ボタン１３のみを特定して操作有効報知を行うにも拘わらず第２演出ボタン１３だけでなく第１演出ボタン１２も有効となり」、「上記第１操作有効期間においては、第２演出ボタン１３を特定した操作有効報知を行うが、第１演出ボタン１２を特定した操作有効報知が行われる場合もあ」る点は、上記（特徴３）で特定される事項を含むものである。
　よって、請求人の上記主張は採用できない。
（３）まとめ
　以上のように、本願補正発明は、刊行物１に記載された発明又は刊行物１発明に基づいて当業者が容易に発明をすることができたものであるから、特許法第２９条第１項第３号又は特許法第２９条第２項の規定により、特許出願の際独立して特許を受けることができない。
　
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について  
１　本願発明  
　本件補正は上記のとおり却下されたので、本願の請求項１、２に係る発明は、平成２７年１２月１８日付け手続補正書により補正された特許請求の範囲の請求項１、２に記載されたとおりのものであるところ、その請求項２に係る発明（以下「本願発明」という。）は次のとおりである。
「【請求項２】
　遊技者によって操作が可能な操作手段である、第１操作手段、及び、該第１操作手段とは異なる第２操作手段と、
　前記第１操作手段又は前記第２操作手段に対する操作を有効とする操作有効状態中に該第１操作手段又は該第２操作手段が操作されることに基づいて所定の演出を実行する演出制御手段と
　を備える遊技機であって、
　前記演出制御手段は、
　前記操作有効状態中に、遊技者に前記操作手段への操作を促す操作促進報知を実行する第１操作有効処理と、
　前記操作有効状態中に、前記操作促進報知を実行しない第２操作有効処理と、を実行可能であり、
　前記第１操作有効処理では、
　前記第１操作手段への前記操作促進報知を実行するときと、前記第２操作手段への前記操作促進報知を実行するときとがあり、
　前記第１操作手段への前記操作促進報知を実行したときは、前記第１操作手段に対する操作を有効とする一方、前記第２操作手段への前記操作促進報知を実行したときは、前記第２操作手段に対する操作を有効とし、
　前記第２操作有効処理では、
　前記第１操作手段に対する操作を有効とする場合がある、
　ことを特徴とする遊技機。」
２　刊行物  
　刊行物１及びその記載事項、並びに刊行物１発明は、上記「第２　３（１）」に記載したとおりである。  
  
３　対比・判断  
　本願発明は、本願補正発明を特定するために必要な事項である「第２操作有効処理」に関して、「前記第１操作手段に対する操作を有効とする場合があ
り、前記第１操作手段が操作された場合は、前記所定の演出として大当たりとなる可能性を示唆する示唆演出を実行し、該第１操作手段が操作されない場合は前記示唆演出を実行しない、
　そうすると、本願発明の特定事項を全て含み、さらに他の特定事項を付加したものに相当する本願補正発明が、上記「第２　３（２）」に記載したとおり、刊行物１に記載された発明又は刊行物１発明に基づいて当業者が容易に発明をすることができたものであるから、本願発明も同様の理由により、刊行物１に記載された発明又は刊行物１発明に基づいて当業者が容易に発明をすることができたものである。
４　むすび  
　以上のとおりであるから、本願発明は、特許法第２９条第１項第３号又は特許法第２９条第２項の規定により特許を受けることができない。  
　したがって、その余の請求項について検討するまでもなく、本願は、拒絶されるべきものである。  
　よって、結論のとおり審決する。